(57)【要約】      （修正有）【課題】規格の異なる固定孔を有するメインボードに対応して取り付け可能な放熱モジュールの留め具を提供する。【解決手段】放熱モジュール２をメインボード５上に固定するのに用い、該放熱モジュールの留め具本体１は、放熱モジュール設置部１１及び複数の延長端１２及び第一及び第二開放側縁部１１１、１１２を該放熱モジュール設置部の両端にそれぞれ設置する。該複数の延長端は、該放熱モジュール設置部の周囲から外に向かって延長形成して固定部品４を挿通してメインボードに固定する孔である定位部を備える。該定位部は円弧状、直線状或いは複数の孔として固定部品を異なる孔位置のメインボードに合わせる。【選択図】図１
0003170927.tif 000002
【実用新案登録請求の範囲】
【請求項１】
放熱モジュールの留め具において、
留め具本体は、放熱モジュール設置部及び該放熱モジュール設置部から放射状に延長する複数の延長端及び放熱モジュール設置部を囲む第一開放側縁部及びその外側の第二開放側縁部を備え、
該第一、二開放側縁部は、該放熱モジュール設置部の両端にそれぞれ設置して該放熱モジュール設置部と接し、該複数の延長端は該放熱モジュール設置部周囲側から外向きに伸びて形成されると共に該留め具本体を固定する固定部品を挿通してボードに固定する挿通孔を設けたことを特徴とする放熱モジュールの留め具。
【請求項２】
前記定位部は円弧状のスリットとすることを特徴とする請求項１記載の放熱モジュールの留め具。
【請求項３】
前記定位部は、更に複数の定位孔を備えることを特徴とする請求項１記載の放熱モジュールの留め具。
【請求項４】
前記スリットは直線状又は円弧形状のいずれかであることを特徴とする請求項２記載の放熱モジュールの留め具。
【請求項５】
前記本体の第一開放側縁部は更に複数の孔を備え、該放熱モジュール設置部は放熱器を設置して、該放熱器の該第一開放側縁部の孔に対応する位置に穿孔を備えて、ネジ部品をその穿孔及び該第一開放側縁部の孔に差し込んで該放熱器を該本体に固定することを特徴とする請求項１記載の放熱モジュールの留め具。
【考案の詳細な説明】
【技術分野】
【０００１】
本考案は、放熱モジュールの留め具に関するもので、特に複数種の異なる孔位置を有するメインボードに合わせる放熱モジュールの留め具に関わる。
【背景技術】
【０００２】
半導体技術の進歩に伴い、ＩＣチップの体積も縮小している。またＩＣチップにより多くのデータを処理できるようにするため、同じ体積のＩＣチップであれば以前の数倍以上のデバイスが搭載されている。ＩＣチップ内のデバイスの数量が益々多くなっていくと、デバイスが作業する熱エネルギーもまた益々大きくなり、通常のＣＰＵを例にとると、高密度に搭載されたデバイスの作業量により、ＣＰＵが排出する熱は、ＣＰＵ全体を焼き切るほどである。拠って、それらを解決することがＩＣの放熱装置の重要な課題となっている。
【０００３】
一般の放熱器は主に高熱伝導係数の金属材から製造されている。また同時に放熱効果を向上させるために、ファンを更に設置して排熱する他に、フィン組を設置して放熱し、更にヒートパイプで熱エネルギーの排出を加速させ、ＩＣ製品の焼損を防止する。
【０００４】
放熱器は、該メインボード上の発熱源に対応して設置する。該放熱器が発熱源から発した熱を吸収して放射する方式で放熱する。該放熱器は、少なくとも留め具で該メインボードと固定する。但し、メインボード及びＣＰＵには多種の規格があるため、各規格のＣＰＵの大きさは異なり、故に合わせられる放熱器の大きさも変わってくる。また対応して固定する留め具もまたメインボードと対応する孔が異なるため、相対してそれぞれ異なる設計となる。そのため、異なる留め具に対して異なる金型を設計しなければならないので、生産コストが高くなり、且つ金型は共有できないため、コストが高くなる。
【先行技術文献】
【特許文献】
【０００５】
【特許文献１】特開２００５−３２１２８７号公報
【特許文献２】特開２００２−１４１４５１号公報
【考案の概要】
【考案が解決しようとする課題】
【０００６】
解決しようとする問題点は、コストが高くつき、且つ留め具が共有できない点である。
【課題を解決するための手段】
【０００７】
本考案は、放熱モジュールをメインボード上に固定するのに用い、該放熱モジュールの留め具は、本体に対して放熱モジュール設置部及び複数の延長端及び第一及び第二開放側縁部を備え、該放熱モジュール設置部の両端にそれぞれ設置する。該複数の延長端は、該放熱モジュール設置部の周囲から外に向かって伸びて形成し、定位部を備える。該定位部は固定部品がその内部で移動して異なる孔位置のメインボードに合わせることを最も主要な特徴とする。
【考案の効果】
【０００８】
本考案の放熱モジュールの留め具は、コストを節約し、用途の幅を拡げるという利点がある。
【図面の簡単な説明】
【０００９】
【図１】本考案の放熱モジュールの留め具の第一実施例の立体分解図である。
【図２】本考案の放熱モジュールの留め具の第一実施例の立体組立図である。
【図３】本考案の放熱モジュールの留め具の第二実施例の立体図である。
【図４】本考案の放熱モジュールの留め具の第三実施例の立体図である。
【考案を実施するための形態】
【００１０】
上述の問題を解決するため、異なる規格でも相互に共用できる放熱モジュールの留め具を提供することを本考案の主な目的とする。
【００１１】
コストを節約する放熱モジュールの留め具を提供することを本考案の別の目的とする。
【００１２】
上述の目的を達成するため、本考案は固定孔の位置の異なるメインボードに対応可能な放熱モジュールの留め具を提供し、放熱モジュールをメインボード上に固定するのに用いる。該放熱モジュールの留め具は、本体に放熱モジュール設置部及び複数の延長端及び第一開放側縁部及び第二開放側縁部を備える。該第一、二開放側縁部は該放熱モジュール設置部の両端にそれぞれ設置し、該放熱モジュール設置部と連通する。該複数の延長端は該放熱モジュール設置部の周囲から外向きに伸びて形成し、該複数の延長端は該放熱モジュール設置部と反対の一端に定位部を備え、該定位部は固定部品を挿通してメインボードに固定する貫通孔を設ける。
【００１３】
本考案の放熱モジュールの留め具の定位部は挿通する固定部品と対応する円弧状、直線状のスリット、或いは複数の貫通孔からなり、該固定部品の固定位置はこれらのスリット内或いは孔に応じて調整し、該メインボード上の対応する孔位置まで調整した後固定することによって、放熱器を確実にメインボード上に固定する。該放熱モジュールの留め具によって多種規格のメインボードに適用するため、更に良好な応用性を備え、且つ他に金型を開発せずにメインボードに使用できるので、コストが節約できる。
【実施例１】
【００１４】
本考案の上述の目的及びその構造とその特性を図に基づいて、好適な実施例を挙げて説明する。
【００１５】
図１、２に示すのは、本考案の放熱モジュールの留め具の第一実施例の立体分解及び組立図であり、図に示すとおり、本考案の放熱モジュールの留め具は本体１を有する。
【００１６】
該本体１は、放熱モジュール設置部１１及びそれから放射状に延長する複数の延長端１２及び該放熱モジュール設置部を囲む外周となる第一開放側縁部１１１及びその外側の第二開放側縁部１１２を備える。該第一、二開放側縁部１１１、１１２は該放熱モジュール設置部１１の両端にそれぞれ設置し、該放熱モジュール設置部１１に接する。該複数の延長端１２は、該放熱モジュール設置部１１周辺側から外に向けて延長して形成され、その端部底面に固定部品４を挿通してボードに固定する挿通孔である定位部１２１を設ける。
【００１７】
該本体１の第一開放側縁部１１１は更に複数の孔１１１１を備え、該放熱モジュール設置部１１は放熱器２もしくはウォーターブロック（図中未示出）を設置する。更に、該放熱器２の前述の孔１１１１に対応する箇所にはネジ止め用の穿孔２１を備え、ネジ部品３を前述の穿孔２１及び該孔１１１１に差し込んで該放熱器２を該本体１に固定する。
【００１８】
該定位部１２１は円弧形状のスリットであり、該スリットに固定部品４を差し込み、該円弧形状のスリット内で固定部品４をスライド移動させて固定位置を調整する。
【００１９】
本実施例の放熱モジュールの留め具は、放熱モジュール（即ち前述の放熱器２）をメインボード５上に固定するのに用いる。メインボード５上のＣＰＵ５１は規格が異なるために大きさも同じではなく、また該メインボード５上に設置したＣＰＵ５１周囲の固定孔５２の設置位置もまた同じでない。これに対処するため、該放熱モジュールの留め具の本体１の定位部１２１に差し込んだ固定部品４は、該定位部１２１の円弧状のスリット内で位置移動し、該メインボード５の固定孔５２と相対する位置へ移動する。即ち、固定部品４は、メインボード５上で該放熱モジュールの留め具の本体１及び該放熱器２を固定できる孔５２に移動して差し込み、留め具を固定する。
【実施例２】
【００２０】
図３は、本考案の放熱モジュールの留め具の第二実施例の立体図である。図に示すとおり、本実施例の部分構造及び技術的特徴は前述の第一実施例と同じであるため、説明は省くが、本実施例と前述の第一実施例の異なる箇所は、本実施例のスリット（即ち定位部１２１）は直線状である。
【実施例３】
【００２１】
図４は、本考案の放熱モジュールの留め具第三実施例の立体図である。図に示すとおり、本実施例の部分構造及び技術的特徴は、前述の第一実施例と同じであるため、説明は省くが、本実施例と前述第一実施例の異なる箇所は本実施例の定位部１２１が更に複数の定位孔１２１１を備え、該複数の定位孔１２１１は、対応するメインボード５の固定孔５２孔位置に対応して設置する（図１参照）。
【００２２】
本考案の放熱モジュールの留め具は、組み立て時に異なる規格に対して良好な互換性を備えるため、金型開発の費用を節約し、生産コストを大幅に減らす。
【符号の説明】
【００２３】
１        本体
１１        放熱モジュール設置部
１１１        第一開放側縁部
１１１１        孔
１１２        第二開放側縁部
１２        延長端
１２１        定位部
１２１１        定位孔
２        放熱器
２１        穿孔
３        ネジ部品
４        固定部品
５        メインボード
５１        ＣＰＵ
５２        固定孔
【図１】
0003170927.tif 000003
【図２】
0003170927.tif 000004
【図３】
0003170927.tif 000005
【図４】
0003170927.tif 000006